(57)【要約】【課題】医療用容器内の医療廃液を安全かつ容易に廃棄する。【解決手段】医療廃液吸収シート１は、不透液性の上シート２と、上シート２の下面上に位置する吸収体とを備える。医療廃液吸収シート１は、医療用容器９１内に貯溜された医療廃液９２上に載置されて、医療廃液９２を吸収する。医療廃液吸収シート１を使用することにより、医療用容器９１内の医療廃液９２を安全かつ容易に廃棄することができる。【選択図】図６
2019063430.tif 000002
【特許請求の範囲】
【請求項１】
医療用容器内に貯溜された医療廃液上に載置されて前記医療廃液を吸収する医療廃液吸収シートであって、
不透液性の上シートと、
前記上シートの下面上に位置する吸収体と、
を備えることを特徴とする医療廃液吸収シート。
【請求項２】
請求項１に記載の医療廃液吸収シートであって、
前記吸収体を下側から覆い、前記吸収体の周囲の全周に亘って前記上シートに接合される透液性の下シートをさらに備えることを特徴とする医療廃液吸収シート。
【請求項３】
請求項１または２に記載の医療廃液吸収シートであって、
前記上シートに接続される把持部をさらに備えることを特徴とする医療廃液吸収シート。
【請求項４】
請求項３に記載の医療廃液吸収シートであって、
前記把持部と前記上シートとが一繋がりのシート部材であり、
前記把持部は、前記シート部材のうち前記吸収体の周囲にて前記上シートの上側に折り返された部位であることを特徴とする医療廃液吸収シート。
【請求項５】
請求項３または４に記載の医療廃液吸収シートであって、
使用前の状態において、前記上シートの上側に積層され、外縁部が全周に亘って前記上シートに連続する把持用シート部材をさらに備え、
前記把持用シート部材に設けられた弱化線が破断されることにより、前記把持用シート部材のうち前記弱化線の両側の部位が前記把持部となることを特徴とする医療廃液吸収シート。
【請求項６】
請求項１ないし５のいずれか１つに記載の医療廃液吸収シートであって、
前記上シートが不透湿性を有することを特徴とする医療廃液吸収シート。
【請求項７】
医療処置の際に医療機器が載置される機器台を覆う機器台カバーであって、
機器台の上面および側方を覆うカバー本体と、
前記カバー本体のうち前記機器台の側方を覆う部位の裏面に取り付けられた請求項１ないし６のいずれか１つに記載の医療廃液吸収シートと、
を備えることを特徴とする機器台カバー。
【請求項８】
医療処置の際に医療機器が載置される機器台を覆う機器台カバーであって、
機器台の上面および側方を覆うカバー本体と、
前記カバー本体のうち前記機器台の側方を覆う部位の裏面に設けられた吸収体と、
を備えることを特徴とする機器台カバー。
【発明の詳細な説明】
【技術分野】
【０００１】
本発明は、医療用容器内に貯溜された医療廃液上に載置されて医療廃液を吸収する医療廃液吸収シート、および、医療処置の際に医療機器が載置される機器台を覆う機器台カバーに関する。
【背景技術】
【０００２】
従来、医療施設において、カテーテルを使用した処置を行う場合、使用前または使用したカテーテルは、医療用容器内に貯溜された生理食塩水等に浸漬され、カテーテル内に空気が残置しないように生理用食塩水等が充填される。カテーテルを使用した処置が終了すると、当該医療用容器が流し台等に運ばれ、医療用容器内の生理用食塩水等の医療廃液が廃棄される。あるいは、当該医療用容器内に粒子状の廃液処理剤（例えば、特許文献１）を散布することにより、医療廃液をゲル状に固化させた後に廃棄することも行われている。
【先行技術文献】
【特許文献】
【０００３】
【特許文献１】特表２００７−５３８１１０号公報
【発明の概要】
【発明が解決しようとする課題】
【０００４】
ところで、医療用容器内の生理食塩水等を流し台に廃棄する場合、流し台まで医療用容器を運搬する途中で医療用容器内の液体が飛散し、医療用容器を運搬している医療者（例えば、看護士）に付着するおそれがある。また、上述の粒子状の廃液処理剤を医療用容器内に散布する場合、廃液処理剤が収容されているボトル等から適切な量の廃液処理剤を計り取る必要がある。このため、医療者の作業が繁雑になるおそれがある。
【０００５】
本発明は、上記課題に鑑みなされたものであり、医療用容器内の医療廃液を安全かつ容易に廃棄することを目的としている。
【課題を解決するための手段】
【０００６】
請求項１に記載の発明は、医療用容器内に貯溜された医療廃液上に載置されて前記医療廃液を吸収する医療廃液吸収シートであって、不透液性の上シートと、前記上シートの下面上に位置する吸収体とを備える。
【０００７】
請求項２に記載の発明は、請求項１に記載の医療廃液吸収シートであって、前記吸収体を下側から覆い、前記吸収体の周囲の全周に亘って前記上シートに接合される透液性の下シートをさらに備える。
【０００８】
請求項３に記載の発明は、請求項１または２に記載の医療廃液吸収シートであって、前記上シートに接続される把持部をさらに備える。
【０００９】
請求項４に記載の発明は、請求項３に記載の医療廃液吸収シートであって、前記把持部と前記上シートとが一繋がりのシート部材であり、前記把持部は、前記シート部材のうち前記吸収体の周囲にて前記上シートの上側に折り返された部位である。
【００１０】
請求項５に記載の発明は、請求項３または４に記載の医療廃液吸収シートであって、使用前の状態において、前記上シートの上側に積層され、外縁部が全周に亘って前記上シートに連続する把持用シート部材をさらに備え、前記把持用シート部材に設けられた弱化線が破断されることにより、前記把持用シート部材のうち前記弱化線の両側の部位が前記把持部となる。
【００１１】
請求項６に記載の発明は、請求項１ないし５のいずれか１つに記載の医療廃液吸収シートであって、前記上シートが不透湿性を有する。
【００１２】
請求項７に記載の発明は、医療処置の際に医療機器が載置される機器台を覆う機器台カバーであって、機器台の上面および側方を覆うカバー本体と、前記カバー本体のうち前記機器台の側方を覆う部位の裏面に取り付けられた請求項１ないし６のいずれか１つに記載の医療廃液吸収シートとを備える。
【００１３】
請求項８に記載の発明は、医療処置の際に医療機器が載置される機器台を覆う機器台カバーであって、機器台の上面および側方を覆うカバー本体と、前記カバー本体のうち前記機器台の側方を覆う部位の裏面に設けられた吸収体とを備える。
【発明の効果】
【００１４】
本発明では、医療用容器内の医療廃液を安全かつ容易に廃棄することができる。
【図面の簡単な説明】
【００１５】
【図１】一の実施の形態に係る医療廃液吸収シートの平面図である。
【図２】医療廃液吸収シートの底面図である。
【図３】医療廃液吸収シートの断面図である。
【図４】医療廃液吸収シートの断面図である。
【図５】医療廃液吸収シートの斜視図である。
【図６】医療廃液吸収シートおよび医療用容器の斜視図である。
【図７】機器台カバーおよび機器台の断面図である。
【図８】機器台カバーおよび機器台の断面図である。
【図９】他の機器台カバーおよび機器台の断面図である。
【図１０】他の医療廃液吸収シートの平面図である。
【図１１】他の医療廃液吸収シートの平面図である。
【発明を実施するための形態】
【００１６】
図１は、本発明の一の実施の形態に係る医療廃液吸収シート１を示す平面図である。図２は、医療廃液吸収シート１の底面図である。図３は、図１中のＩＩＩ−ＩＩＩの位置にて医療廃液吸収シート１を切断した断面図である。図３では、図の理解を容易にするために、医療廃液吸収シート１の各構成を離間させて図示している。後述する断面図においても同様である。医療廃液吸収シート１は、医療用容器内に貯溜された医療廃液上に載置されて、当該医療廃液を吸収するシート部材である。当該医療廃液は、例えば、カテーテル等が浸漬された生理用食塩水である。
【００１７】
図１に示す例では、医療廃液吸収シート１の平面視における形状は略長方形であり、略直方体の医療用容器に貯溜された医療廃液上に載置される。以下の説明では、図１中の左右方向を「横方向」と呼び、図１中の上下方向を「縦方向」と呼ぶ。図１に例示する医療廃液吸収シート１では、横方向に平行な辺が、縦方向に平行な辺よりも長い。当該縦方向および横方向は、医療廃液吸収シート１を実際に使用する際の縦方向および横方向とは、必ずしも一致する必要はない。医療廃液吸収シート１の縦方向の長さは、例えば１５ｃｍ〜４０ｃｍであり、横方向の長さは、例えば２０ｃｍ〜５０ｃｍである。
【００１８】
医療廃液吸収シート１は、上シート２と、吸収体３と、下シート４とを備える。上シート２は、不透液性かつ不透湿性のシート部材である。吸収体３は、上シート２の下面上に位置し、医療廃液を吸収して保持（すなわち、固定）する。下シート４は、吸収体３を全面に亘って下側から覆う透液性のシート部材である。下シート４は、吸収体３の周囲の全周に亘って上シート２に接合される。これにより、吸収体３が、上シート２と下シート４との間に固定される。上シート２と下シート４とは、例えば、ホットメルト接着剤等による接着、熱融着接合または超音波接合により接合される。
【００１９】
図１に示す例では、上シート２、吸収体３および下シート４の平面視における形状は、それぞれ略長方形である。上シート２は、吸収体３および下シート４よりも大きく、下シート４は、吸収体３よりも大きい。下シート４は、吸収体３の全周に亘って吸収体３の外縁よりも外側まで延びる。上シート２は、下シート４の全周に亘って下シート４の外縁よりも外側まで延びる。なお、下シート４の外縁は、上シート２の外縁と平面視において重なっていてもよい。
【００２０】
上シート２としては、例えば、不透液性かつ不透湿性のプラスチックフィルムが利用される。上シート２の透湿度は、例えば、５００ｇ／ｍ２／２４ｈ（ＪＩＳ：Ｚ０２０８のカップ法）以下である。また、上シート２として、不透液性かつ不透湿性の不織布、または、上述のプラスチックフィルムと当該不織布との積層シートが利用されてもよい。
【００２１】
吸収体３は、例えば、粒状または繊維状の高吸収性材料、および、粉砕したパルプ繊維またはセルロース繊維等の親水性繊維の集合体のうち、少なくとも一方を吸収材として含む。当該高吸収性材料としては、例えば、粒状の高吸収性ポリマー（ＳＡＰ（Super Absorbent Polymer））、または、繊維状の高吸収性ファイバー（ＳＡＦ（Super Absorbent Fiber））が利用される。
【００２２】
図１に示す例では、吸収体３は、粒状または繊維状の高吸収性材料を担持した不織布シートである。吸収体３は、例えば、ＳＡＰ等の高吸収性材料が混抄された不織布シートである。吸収体３は、表面にＳＡＰ等の高吸収性材料が塗布された不織布シートであってもよい。また、吸収体３は、積層された２枚の透液性不織布の間に粒状のＳＡＰが固定されたシート部材であってもよい。あるいは、吸収体３は、粉砕したパルプ繊維またはセルロース繊維等の親水性繊維の集合体を、ティッシュペーパーや不織布により包んだものであってもよい。当該集合体には、高吸収性材料が混合されていてもよい。
【００２３】
下シート４としては、例えば、表面を界面活性剤により親水処理した疎水性繊維（ポリプロピレン、ポリエチレン、ポリエステル、ポリアミド、ナイロン等）にて形成された透液性の不織布（ポイントボンド不織布、エアスルー不織布、スパンボンド不織布等）が利用される。また、下シート４として、セルロースやレーヨン、コットン等の親水性繊維により形成された不織布（例えば、スパンレース不織布）が利用されてもよい。
【００２４】
医療廃液吸収シート１は、把持用シート部材５をさらに備える。把持用シート部材５は、医療廃液吸収シート１の使用前の状態において、上シート２の上側に積層されるシート部材である。把持用シート部材５は、平面視において上シート２と略同形状であり、上シート２の上面を略全面に亘って覆う。把持用シート部材５の外縁部は、全周に亘って上シート２に連続する。把持用シート部材５の外縁部以外の部位（すなわち、外縁部よりも内側の部位）は、上シート２上に重なってはいるが、上シート２には接合されておらず、上シート２から離間可能である。
【００２５】
図１に示す例では、把持用シート部材５に、略直線状の弱化線５２が設けられている。弱化線５２は、把持用シート部材５の縦方向の略中央において、把持用シート部材５の横方向の略全長に亘って横方向に略平行に延びる。医療廃液吸収シート１が使用される際には、弱化線５２が破断されることにより、図４の断面図および図５の斜視図に示すように、把持用シート部材５が、縦方向に並ぶ２つの部位５１に分割される。以下の説明では、把持用シート部材５のうち弱化線５２の両側の２つの略矩形状の部位５１をそれぞれ、「把持部５１」と呼ぶ。２つの把持部５１は、上シート２に接続されている。医療者は、例えば、２つの把持部５１を両手によって把持して医療廃液吸収シート１を持ち上げる。
【００２６】
図３および図４に示す例では、各把持部５１と上シート２とは一繋がりのシート部材である。換言すれば、各把持部５１および上シート２はそれぞれ、１つのシート部材の一部である。各把持部５１は、当該シート部材のうち、吸収体３の周囲にて上シート２の上側に折り返された部位である。各把持部５１は、上シート２と同じ材料により形成されている。
【００２７】
２つの把持部５１を医療者により把持された医療廃液吸収シート１は、図６に示すように、下シート４を下側に向けた状態で、無蓋略直方体状の医療用容器９１の上部開口から医療用容器９１の内部へと入れられ、医療廃液９２上に載置される。平面視において、医療廃液吸収シート１は、医療廃液９２の上面（すなわち、液面）と略同形状である。下シート４は、医療廃液９２を速やかに透過して吸収体３（図４参照）へと移動させる。吸収体３は、下シート４を透過した医療廃液９２を吸収して保持（すなわち、固定）する。上シート２は、上シート２に到達した医療廃液９２が医療廃液吸収シート１の外部（すなわち、上シート２の上面側）にしみ出すことを防止する。
【００２８】
医療用容器９１内の医療廃液９２の略全量が医療廃液吸収シート１に吸収されると、医療廃液吸収シート１は医療用容器９１と共に廃棄される。医療廃液吸収シート１が吸収可能な医療廃液の量（すなわち、吸収量）は、例えば、５００ｍｌ（ミリリットル）以上かつ２０００ｍｌ以下である。医療廃液吸収シート１の吸収量は、５００ｍｌ未満であってもよく、２０００ｍｌよりも大きくてもよい。
【００２９】
使用済みの医療廃液吸収シート１は、必要に応じて、医療用容器９１から取り出され、医療用容器９１と分別されて廃棄されてもよい。この場合であっても、医療廃液は医療廃液吸収シート１の吸収体３により固定されているため、医療廃液吸収シート１の廃棄時に、医療廃液が医療廃液吸収シート１から漏出する（すなわち、液戻りする）ことを防止または抑制することができる。
【００３０】
以上に説明したように、医療廃液吸収シート１は、不透液性の上シート２と、上シート２の下面上に位置する吸収体３とを備える。医療廃液吸収シート１は、医療用容器９１内に貯溜された医療廃液９２上に載置されて、医療廃液９２を吸収する。このように、医療廃液吸収シート１を医療廃液９２上に載置するだけで医療用容器９１内の医療廃液９２の吸収を実現し、さらに、吸収体３により医療廃液を固定することによって、医療廃液吸収シート１からの医療廃液の漏出を防止または抑制することができる。したがって、医療廃液吸収シート１を使用することにより、医療用容器９１内の医療廃液９２を安全かつ容易に廃棄することができる。
【００３１】
上述のように、医療廃液吸収シート１は、吸収体３を下側から覆う透液性の下シート４をさらに備える。下シート４は、吸収体３の周囲の全周に亘って上シート２に接合される。これにより、吸収体３の一部（例えば、ＳＡＰ）が脱落して周囲に散らばることを防止または抑制することができる。
【００３２】
医療廃液吸収シート１は、上シート２に接続される把持部５１をさらに備える。これにより、医療者による医療廃液吸収シート１の取り扱いを容易とすることができる。例えば、医療者は、把持部５１を把持することにより、医療廃液吸収シート１を容易に持ち上げて医療用容器９１内に入れることができる。また、使用済みの医療廃液吸収シート１を医療用容器９１から取り出す必要がある場合、医療者は、把持部５１を把持することにより、医療廃液吸収シート１を容易に取り出すことができる。
【００３３】
医療廃液吸収シート１では、把持部５１と上シート２とが、一繋がりのシート部材である。また、把持部５１は、当該シート部材のうち、吸収体３の周囲にて上シート２の上側に折り返された部位である。これにより、把持部５１の形成を容易とすることができる。その結果、医療廃液吸収シート１の製造を簡素化することができる。
【００３４】
上述のように、医療廃液吸収シート１は、使用前の状態において、上シート２の上側に積層される把持用シート部材５をさらに備える。把持用シート部材５の外縁部は、全周に亘って上シート２に連続する。そして、把持用シート部材５に設けられた弱化線５２が破断されることにより、把持用シート部材５のうち弱化線５２の両側の部位が把持部５１となる。これにより、使用前の状態の医療廃液吸収シート１において、把持部５１が他の器具等に引っかかることを防止することができる。したがって、使用前の状態の医療廃液吸収シート１の取り扱いを容易とすることができる。
【００３５】
医療廃液吸収シート１では、上シート２は不透湿性を有する。これにより、液状の医療廃液のみならず、医療廃液の蒸気が医療廃液吸収シート１を透過することも防止される。その結果、医療廃液をさらに安全に廃棄することができる。また、医療廃液の臭気が医療用容器９１から周囲に拡散することを抑制することもできる。
【００３６】
医療廃液吸収シート１は、上述のように、単体で使用されてもよく、他の様々な医療用品の一部として使用されてもよい。例えば、図７に示すように、医療廃液吸収シート１は、機器台カバー６に設けられてもよい。機器台カバー６は、医療処置の際に医療機器が載置される機器台９３を覆うシート部材である。図７では、機器台カバー６および機器台９３の縦断面を示す。図７に示す例では、機器台９３の上面上に、上述の医療用容器９１が載置される。
【００３７】
機器台カバー６は、カバー本体６１と、上述の医療廃液吸収シート１とを備える。カバー本体６１は、略矩形状のシート部材であり、機器台９３の上面を覆う。カバー本体６１は、また、機器台９３の上面上から周囲に垂れ下がって機器台９３の側方を全周に亘って覆う。カバー本体６１は、例えば、不織布、または、ポリエチレン（ＰＥ）やポリプロピレン（ＰＰ）等の樹脂シートにより形成される。カバー本体６１は、不織布と樹脂シートとの積層体であってもよい。
【００３８】
医療廃液吸収シート１は、カバー本体６１のうち、機器台９３の側方を覆う部位の裏面（すなわち、不潔面）に取り付けられる。図７に示す例では、医療廃液吸収シート１の把持用シート部材５が、カバー本体６１の裏面に両面テープ等により固定される。なお、機器台カバー６では、把持用シート部材５が省略された医療廃液吸収シート１の上シート２が、カバー本体６１の裏面に取り付けられてもよい。
【００３９】
医療用容器９１内の医療廃液９２を廃棄する際には、図８に示すように、機器台カバー６のカバー本体６１が、医療用容器９１の上方へと捲り上げられ、医療廃液吸収シート１の下シート４と医療用容器９１の上部開口とが上下方向に対向するように折り返される。そして、医療廃液吸収シート１が、カバー本体６１の一部と共に、医療用容器９１内の医療廃液９２上に載置されることにより、医療廃液９２が医療廃液吸収シート１により吸収されて固定される。医療用容器９１内の医療廃液９２の略全量が医療廃液吸収シート１に吸収されると、医療用容器９１は、カバー本体６１により包まれ、機器台カバー６と共に廃棄される。
【００４０】
以上に説明したように、医療処置の際に医療機器が載置される機器台９３を覆う機器台カバー６は、カバー本体６１と、医療廃液吸収シート１とを備える。カバー本体６１は、機器台９３の上面および側方を覆う。医療廃液吸収シート１は、カバー本体６１のうち、機器台９３の側方を覆う部位の裏面に取り付けられる。機器台カバー６では、上述のように、カバー本体６１を折り返すことにより、医療用容器９１内の医療廃液９２上に医療廃液吸収シート１を容易に載置することができる。これにより、機器台９３上に載置された医療用容器９１内の医療廃液９２の吸収を容易に行うことができる。また、医療廃液吸収シート１を医療用容器９１から離れた保管場所まで取りに行く必要がないため、医療廃液吸収シート１による医療廃液の吸収を迅速に行うことができる。
【００４１】
機器台カバー６では、カバー本体６１に対する医療廃液吸収シート１の取付位置を示す目印（例えば、医療廃液吸収シート１と略同形状の矩形マーク）が、カバー本体６１の表面（すなわち、清潔面）に設けられてもよい。これにより、医療廃液吸収シート１を医療用容器９１の上方へと容易に移動することができる。
【００４２】
医療用容器９１内の医療廃液９２を機器台カバーにより吸収して固定するという観点からは、図９に示す機器台カバー６ａのように、カバー本体６１には、少なくとも吸収体３が取り付けられていればよい。すなわち、機器台カバー６ａは、機器台９３の上面および側方を覆うカバー本体６１と、カバー本体６１のうち機器台９３の側方を覆う部位の裏面に設けられた吸収体３とを備える。機器台カバー６ａでは、上記と同様にカバー本体６１を折り返すことにより、医療用容器９１内の医療廃液９２上に吸収体３を容易に載置することができる。これにより、機器台９３上に載置された医療用容器９１内の医療廃液９２の吸収を容易に行うことができる。
【００４３】
上述の医療廃液吸収シート１および機器台カバー６，６ａでは、様々な変更が可能である。
【００４４】
例えば、把持用シート部材５は、外縁部が上シート２に連続していればよく、必ずしも上シート２と一繋がりの部材である必要はない。例えば、上シート２とは別部材である把持用シート部材５が上シート２上に積層され、把持用シート部材５の外縁部が上シート２に接合されることにより、把持用シート部材５が上シート２に連続してもよい。この場合、把持用シート部材５は、上シート２とは異なる材料により形成されてもよい。
【００４５】
医療廃液吸収シート１では、弱化線５２は、把持用シート部材５の横方向の略中央において、縦方向に略平行に延びていてもよい。また、弱化線５２は、直線状には限定されず、湾曲していてもよい。
【００４６】
医療廃液吸収シート１では、弱化線５２が省略され、把持用シート部材５は、最初から２つの把持部５１に分割されていてもよい。また、上シート２の一部は、２つの把持部５１から露出していてもよい。図１０に例示する医療廃液吸収シート１ａでは、上シート２の縦方向の中央部が、２つの略矩形状の把持部５１ａの間から露出する。当該２つの把持部５１ａと上シート２とは、例えば、一繋がりのシート部材である。各把持部５１ａは、当該シート部材のうち、吸収体３の周囲にて上シート２の上側に折り返された部位である。
【００４７】
把持部５１は、上シート２と別部材であってもよい。また、把持部５１の形状、材料および数は様々に変更されてよい。例えば、図１１例示する医療廃液吸収シート１ｂでは、それぞれが縦方向に延びる２つの帯状の把持部５１ｂが、上シート２上に設けられる。この場合、各把持部５１ｂの縦方向の両端部が、上シート２の上面に接合され、各把持部５１ｂの縦方向の中央部は、上シート２に被接合とされる。
【００４８】
例えば、医療廃液吸収シート１では、上シート２は、不透液性を有するのであれば、必ずしも不透湿性を有する必要はない。また、下シート４および把持部５１はそれぞれ、医療廃液吸収シート１から省略されてもよい。
【００４９】
医療廃液吸収シート１の大きさおよび形状は、医療用容器９１の形状に応じて様々に変更されてよい。例えば、医療廃液吸収シート１の平面視における形状は、略円形であってもよい。
【００５０】
上記実施の形態および各変形例における構成は、相互に矛盾しない限り適宜組み合わされてよい。
【符号の説明】
【００５１】
１，１ａ，１ｂ    医療廃液吸収シート
２    上シート
３    吸収体
４    下シート
５    把持用シート部材
６，６ａ    機器台カバー
５１，５１ａ，５１ｂ    把持部
５２    弱化線
６１    カバー本体
９１    医療用容器
９２    医療廃液
９３    機器台
【図１】
2019063430.tif 000003
【図２】
2019063430.tif 000004
【図３】
2019063430.tif 000005
【図４】
2019063430.tif 000006
【図５】
2019063430.tif 000007
【図６】
2019063430.tif 000008
【図７】
2019063430.tif 000009
【図８】
2019063430.tif 000010
【図９】
2019063430.tif 000011
【図１０】
2019063430.tif 000012
【図１１】
2019063430.tif 000013